(57)【要約】【課題】本発明の目的は、電源オン時と電源オフ時との少なくとも一方におけるＬＥＤの応答を速くでき、また、定電流制御方式において無負荷時に過電圧から保護して破損を防止できるＬＥＤ照明用スイッチング電源（ＳＭＰＳ）を提供することにある。【解決手段】ＬＥＤ照明用スイッチング電源は、駆動部２００と、駆動部２００のスイッチング制御信号によって駆動される電力供給部１４０と、駆動部２００を制御する定電流制御部３１０と、制御手段３５０とを備えている。制御手段３５０は、ＬＥＤモジュール部１９０の無負荷時に出力平滑コンデンサにかかる電圧を所定の電圧以下に抑える過電圧保護部３７０と、出力平滑コンデンサに蓄積されたエネルギーを強制的に放電するように放電を制御する放電制御部３８０とを備えている。【選択図】図１
2014116279.tif 000002
【特許請求の範囲】
【請求項１】
スイッチング制御信号を生成する駆動部と、
前記駆動部の前記スイッチング制御信号によって、直流電圧をスイッチング制御してＬＥＤモジュール部に供給する電力供給部と、
前記ＬＥＤモジュール部に流れる電流が定電流になるように前記駆動部を制御する定電流制御部と、
前記ＬＥＤモジュール部の出力平滑コンデンサに過電圧がかかることを防止し、且つ電源オフ時と電源オン時との少なくとも一方における前記ＬＥＤモジュール部のＬＥＤの応答を速くする制御手段と、
を備えることを特徴とする、ＬＥＤ照明用スイッチング電源。
【請求項２】
前記制御手段は、
前記ＬＥＤモジュール部の無負荷時に前記出力平滑コンデンサにかかる電圧を所定の電圧以下に抑える過電圧保護部と、
前記出力平滑コンデンサに蓄積されたエネルギーを強制的に放電するように放電を制御する放電制御部と、
を備えることを特徴とする、請求項１に記載のＬＥＤ照明用スイッチング電源。
【請求項３】
電圧を交流から直流に変換する整流回路部と、
前記整流回路部から出力された電圧を入力電圧として、当該入力電圧によって平滑コンデンサの容量値を制御する平滑回路部とをさらに備え、
前記電力供給部は、前記平滑回路部の出力電圧をスイッチング制御して前記ＬＥＤモジュール部に供給するように構成されている
ことを特徴とする、請求項１または２に記載のＬＥＤ照明用スイッチング電源。
【請求項４】
前記平滑回路部は、
前記整流回路部の両出力端間に第１ＦＥＴが接続され、前記第１ＦＥＴのドレインと前記整流回路部の高電位側の出力端との間には第２キャパシタが接続され、前記第１ＦＥＴのゲートは第２抵抗を介して第１電位点に接続され、前記第１ＦＥＴのドレインとソースとの間には第３キャパシタが接続され、
前記第１ＦＥＴのゲートとソースとの間に第２トランジスタが接続され、前記第２トランジスタのコレクタは前記第１ＦＥＴのゲートに接続され、前記第２トランジスタのエミッタはグラウンドに接続され、
前記整流回路部の両出力端間に第１ダイオードと第４キャパシタとが直列に接続され、前記第２トランジスタのベースは第３抵抗及び第１ツェナダイオードの直列回路を介して、前記第１ダイオード及び前記第４キャパシタの接続点に接続されて構成される
ことを特徴とする、請求項３に記載のＬＥＤ照明用スイッチング電源。
【請求項５】
前記平滑回路部は、
前記第１ダイオードを通して前記第４キャパシタが充電され、
前記第４キャパシタの電圧が前記第１ツェナダイオードの降伏電圧と前記第２トランジスタのベース−エミッタ間電圧との和を超えると、前記第２トランジスタがオンして前記第１ＦＥＴがオフし、
前記第４キャパシタの電圧が前記第１ツェナダイオードの降伏電圧と前記第２トランジスタのベース−エミッタ間電圧との和より低くなると、前記第２トランジスタがオフして前記第１ＦＥＴがオンし、前記整流回路部の両出力端間に前記第２キャパシタと前記第３キャパシタとが並列に接続されて前記平滑コンデンサの容量値が増加するように構成されている
ことを特徴とする、請求項４に記載のＬＥＤ照明用スイッチング電源。
【請求項６】
交流電源と前記整流回路部との間に設けられ、伝導ノイズ及び電子波ノイズをフィルタリングするノイズフィルタをさらに備え、
前記整流回路部は前記ノイズフィルタの出力電圧を直流に変換するように構成されている
ことを特徴とする、請求項３〜５のいずれか１項に記載のＬＥＤ照明用スイッチング電源。
【請求項７】
前記ＬＥＤモジュール部は、
ＬＥＤが装着されるＬＥＤコネクタと並列に第６キャパシタが接続され、
前記ＬＥＤコネクタの両端に第２コイルの１次側及び２次側の一端が接続され、
前記第２コイルの１次側及び２次側の他端が前記制御手段の出力端に接続され、
前記第２コイルの１次側及び２次側の前記他端間には極性を持った第５キャパシタが接続されて構成される
ことを特徴とする、請求項２に記載のＬＥＤ照明用スイッチング電源。
【請求項８】
前記過電圧保護部は、
前記ＬＥＤモジュール部の前記第５キャパシタの両端間に直列に接続された第２ツェナダイオードと第５抵抗とフォトカプラとを有し、
前記フォトカプラの出力は前記駆動部の電源電圧を生じる第１電位点とグラウンドとの間に接続されている
ことを特徴とする、請求項７に記載のＬＥＤ照明用スイッチング電源。
【請求項９】
前記過電圧保護部は、
前記ＬＥＤコネクタにＬＥＤが接続されていない状態で電源投入されると、
前記第５キャパシタ及び前記第６キャパシタは充電され続け、第５キャパシタ及び第６キャパシタに高い電圧がかかることになり、第５キャパシタ及び第６キャパシタの充電電圧が前記第２ツェナダイオードの降伏電圧と前記フォトカプラの動作電圧との和を超えると、前記第５抵抗を通して電流が流れ前記フォトカプラが動作することとなり、前記駆動部の前記第１電位点を前記グラウンドに接続して前記駆動部のスイッチング動作を停止させるように構成されている
ことを特徴とする、請求項８に記載のＬＥＤ照明用スイッチング電源。
【請求項１０】
前記放電制御部は、
前記ＬＥＤモジュール部の前記第５キャパシタの両端間に直列に接続された第３トランジスタ及び第６抵抗と、
前記第５キャパシタの両端間に直列に接続された第４トランジスタ及び第７抵抗とを有し、
前記第３トランジスタのコレクタと前記第５キャパシタのプラス電極との間に前記第６抵抗が接続され、前記第３トランジスタのエミッタは前記第５キャパシタのマイナス電極に接続され、前記第３トランジスタのベースは前記第４トランジスタのコレクタに接続され、
前記第４トランジスタのコレクタと前記第５キャパシタのプラス電極との間に前記第７抵抗が接続され、前記第４トランジスタのエミッタは前記第５キャパシタのマイナス電極に接続され、前記第４トランジスタのベースと前記第５キャパシタのプラス電極の間に第８抵抗と第３ツェナダイオードとが直列に接続されて構成される
ことを特徴とする、請求項７に記載のＬＥＤ照明用スイッチング電源。
【請求項１１】
前記第３ツェナダイオードは前記ＬＥＤコネクタに接続されたＬＥＤの順電圧より低い降伏電圧を持つツェナダイオードであって、
前記放電制御部は、
電源投入により前記ＬＥＤコネクタに接続されたＬＥＤが点灯すると、
前記第５キャパシタ及び前記第６キャパシタにＬＥＤの順電圧分の充電電圧が印加され、前記第３ツェナダイオードに降伏電圧を超える電圧がかかり、前記第４トランジスタがオンし、前記第３トランジスタがオフするように構成されている
ことを特徴とする、請求項１０に記載のＬＥＤ照明用スイッチング電源。
【請求項１２】
前記放電制御部は、
電源が遮断されると、前記第５キャパシタ及び前記第６キャパシタの電圧がＬＥＤによって放電され、前記第５キャパシタ及び前記第６キャパシタの電圧が前記第３ツェナダイオードの降伏電圧と前記第４トランジスタのベース−エミッタ間電圧との和より低くなると、
前記第４トランジスタがオフし、前記第３トランジスタがオンし、前記第６抵抗を通して前記第５キャパシタ及び前記第６キャパシタを放電するように構成されている
ことを特徴とする、請求項１１に記載のＬＥＤ照明用スイッチング電源。
【請求項１３】
前記放電制御部は、
前記ＬＥＤモジュール部の前記第５キャパシタの両端間に直列に接続された第９抵抗と第５トランジスタと第５ツェナダイオードと、
前記第５キャパシタの両端間に直列に接続された第６トランジスタ及び第１１抵抗とを有し、
前記第５トランジスタのコレクタと前記第５キャパシタのプラス電極との間に前記第９抵抗が接続され、前記第５トランジスタのエミッタと前記第５キャパシタのマイナス電極との間に前記第５ツェナダイオードが接続され、前記第５トランジスタのべースが前記第６トランジスタのコレクタに接続され、
前記第６トランジスタのコレクタと前記第５キャパシタのプラス電極との間に前記第１１抵抗が接続され、前記第６トランジスタのエミッタは前記第５キャパシタのマイナス電極に接続され、前記第６トランジスタのベースと前記第５キャパシタのプラス電極との間には第１２抵抗と第４ツェナダイオードとが直列に接続されて構成される
ことを特徴とする、請求項７に記載のＬＥＤ照明用スイッチング電源。
【請求項１４】
前記第４ツェナダイオードは前記ＬＥＤコネクタに接続されたＬＥＤの順電圧より低い降伏電圧を持つツェナダイオードであって、
前記放電制御部は、
電源投入により前記ＬＥＤコネクタに接続されたＬＥＤが点灯すると、
前記第５キャパシタ及び前記第６キャパシタにＬＥＤの順電圧分の充電電圧が印加され、前記第４ツェナダイオードに降伏電圧を超える電圧がかかり、前記第６トランジスタがオンし、前記第５トランジスタがオフするように構成されている
ことを特徴とする、請求項１３に記載のＬＥＤ照明用スイッチング電源。
【請求項１５】
前記放電制御部は、
電源が遮断されると、前記第５キャパシタ及び前記第６キャパシタの電圧がＬＥＤによって放電され、前記第５キャパシタ及び前記第６キャパシタの電圧が前記第４ツェナダイオードの降伏電圧と前記第６トランジスタのベース−エミッタ間電圧との和より低くなると、
前記第６トランジスタがオフし、前記第５トランジスタがオンし、前記第９抵抗を通して前記第５キャパシタ及び前記第６キャパシタを放電し、前記第５キャパシタ及び前記第６キャパシタの電圧が前記第５ツェナダイオードの降伏電圧と前記第５トランジスタのエミッタ−ベース間電圧との和である放電遮断電圧に達すると放電を停止するように構成されている
ことを特徴とする、請求項１４に記載のＬＥＤ照明用スイッチング電源。
【発明の詳細な説明】
【技術分野】
【０００１】
本発明は、発光ダイオード（ＬＥＤ：Light Emitting Diode）を点灯させるために用いられるＬＥＤ照明用スイッチング電源（ＳＭＰＳ）に関する。
【背景技術】
【０００２】
スイッチング電源（ＳＭＰＳ：Switching Mode Power Supply）は、外部から供給される交流電流を直流電流に変換したあと、各種電子機器の条件に合う大きさの電圧に変換して供給する装置である。ＳＭＰＳは入力電圧に変動があっても一定の大きさの電圧を電子製品に供給することで、供給電圧の変動による問題を防ぐ役割をする。
【０００３】
ＳＭＰＳはＬＥＤを点灯させるためにも必要であり、ＬＥＤ照明に電源を供給するために用いられるＳＭＰＳが従来から提案されている（たとえば特許文献１参照）。ＳＭＰＳはＬＥＤの品質の信頼性に甚大な影響をもたらす。ＳＭＰＳの性能によってＬＥＤの寿命及び安定性に格差が発生する。また、ＬＥＤ照明は故障の原因がＳＭＰＳにあることが多い。入力電圧が過電圧であるか、環境的な要因によってＳＭＰＳの温度が上昇することになれば、定格以上の過剰な電流がＬＥＤに供給される。ＬＥＤに過剰電流が流れるとＬＥＤの明るさが一定にならないうえ、ＬＥＤに衝撃を与えＬＥＤの寿命が短くなる。
【０００４】
ところで、ＬＥＤ照明には、電源がオンすればすぐ点灯するのではなく所定時間経ってから点灯するものがある。また、ＬＥＤ照明には、電源がオフすればすぐ消灯するのではなく所定時間経ってから消灯するものもある。つまり、ＬＥＤ照明は、電源オン時、電源オン時におけるＬＥＤの応答が遅い場合がある。このようにＬＥＤが電源のオン／オフ時に遅れて点灯／消灯する現象を、以下では残像現象という。
【０００５】
また、定電流制御方式のＳＭＰＳは定電圧制御機能がなく、無負荷時に過電圧になると破損の恐れがある。
【０００６】
さらに、ＳＭＰＳで重要なことの一つに力率補償回路がある。力率補償回路は、ＳＭＰＳの力率を極大化させる回路であり瞬間的な電力漏出を制御し、浪費される電力を減らすことができる。力率は皮相電力と有効電力との比率であり、電子機器に実際にかかる電圧と電流とがどれだけ有効に働くかを意味する。一般的なＳＭＰＳは、入力電圧を感知して力率制御する機能がない。
【先行技術文献】
【特許文献】
【０００７】
【特許文献１】特開２０１２−０２９５２６号公報
【発明の概要】
【発明が解決しようとする課題】
【０００８】
本発明の目的は、電源オン時と電源オフ時との少なくとも一方におけるＬＥＤの応答を速くでき、また、定電流制御方式において無負荷時に過電圧から保護して破損を防止できるＬＥＤ照明用スイッチング電源（ＳＭＰＳ）を提供することにある。
【０００９】
本発明のもう１つの目的は、入力電圧により平滑コンデンサの容量値を制御して高力率を具現可能にしたＬＥＤ照明用スイッチング電源（ＳＭＰＳ）を提供することにある。
【課題を解決するための手段】
【００１０】
上記課題を解決するため、第１の発明のＬＥＤ照明用スイッチング電源は、スイッチング制御信号を生成する駆動部（２００）と、前記駆動部（２００）の前記スイッチング制御信号によって、直流電圧をスイッチング制御してＬＥＤモジュール部（１９０）に供給する電力供給部（１４０）と、前記ＬＥＤモジュール部（１９０）に流れる電流が定電流になるように前記駆動部（２００）を制御する定電流制御部（３１０）と、前記ＬＥＤモジュール部（１９０）の出力平滑コンデンサ（Ｃ５，Ｃ６）に過電圧がかかることを防止し、且つ電源オフ時と電源オン時との少なくとも一方における前記ＬＥＤモジュール部（１９０）のＬＥＤの応答を速くする制御手段（３５０）と、を備えることを特徴とする。
【００１１】
第２の発明は、第１の発明において、前記制御手段（３５０）は、前記ＬＥＤモジュール部（１９０）の無負荷時に前記出力平滑コンデンサ（Ｃ５，Ｃ６）にかかる電圧を所定の電圧以下に抑える過電圧保護部（３７０）と、前記出力平滑コンデンサ（Ｃ５，Ｃ６）に蓄積されたエネルギーを強制的に放電するように放電を制御する放電制御部（３８０）と、を備えることを特徴とする。
【００１２】
第３の発明は、第１または第２の発明において、電圧を交流から直流に変換する整流回路部（１２０）と、前記整流回路部（１２０）から出力された電圧を入力電圧として、当該入力電圧によって平滑コンデンサ（Ｃ２，Ｃ３）の容量値を制御する平滑回路部（１３０）とをさらに備え、前記電力供給部（１４０）は、前記平滑回路部（１３０）の出力電圧をスイッチング制御して前記ＬＥＤモジュール部（１９０）に供給するように構成されていることを特徴とする。
【００１３】
第４の発明は、第３の発明において、前記平滑回路部（１３０）は、前記整流回路部（１２０）の両出力端間に第１ＦＥＴ（Ｑ１）が接続され、前記第１ＦＥＴ（Ｑ１）のドレインと前記整流回路部（１２０）の高電位側の出力端との間には第２キャパシタ（Ｃ２）が接続され、前記第１ＦＥＴ（Ｑ１）のゲートは第２抵抗（Ｒ２）を介して第１電位点（ＶＣＣ）に接続され、前記第１ＦＥＴ（Ｑ１）のドレインとソースとの間には第３キャパシタ（Ｃ３）が接続され、前記第１ＦＥＴ（Ｑ１）のゲートとソースとの間に第２トランジスタ（Ｑ２）が接続され、前記第２トランジスタ（Ｑ２）のコレクタは前記第１ＦＥＴ（Ｑ１）のゲートに接続され、前記第２トランジスタ（Ｑ２）のエミッタはグラウンドに接続され、前記整流回路部（１２０）の両出力端間に第１ダイオード（Ｄ１）と第４キャパシタ（Ｃ４）とが直列に接続され、前記第２トランジスタ（Ｑ２）のベースは第３抵抗（Ｒ３，Ｒ４）及び第１ツェナダイオード（ＺＤ１）の直列回路を介して、前記第１ダイオード（Ｄ１）及び前記第４キャパシタ（Ｃ４）の接続点に接続されて構成されることを特徴とする。
【００１４】
第５の発明は、第４の発明において、前記平滑回路部（１３０）は、前記第１ダイオード（Ｄ１）を通して前記第４キャパシタ（Ｃ４）が充電され、前記第４キャパシタ（Ｃ４）の電圧が前記第１ツェナダイオード（ＺＤ１）の降伏電圧と前記第２トランジスタ（Ｑ２）のベース−エミッタ間電圧（ＶＢＥ）との和を超えると、前記第２トランジスタ（Ｑ２）がオンして前記第１ＦＥＴ（Ｑ１）がオフし、前記第４キャパシタ（Ｃ４）の電圧が前記第１ツェナダイオード（ＺＤ１）の降伏電圧と前記第２トランジスタ（Ｑ２）のベース−エミッタ間電圧（ＶＢＥ）との和より低くなると、前記第２トランジスタ（Ｑ２）がオフして前記第１ＦＥＴ（Ｑ１）がオンし、前記整流回路部（１２０）の両出力端間に前記第２キャパシタ（Ｃ２）と前記第３キャパシタ（Ｃ３）とが並列に接続されて前記平滑コンデンサ（Ｃ２，Ｃ３）の容量値が増加するように構成されていることを特徴とする。
【００１５】
第６の発明は、第３〜５のいずれかの発明において、交流電源（１００）と前記整流回路部（１２０）との間に設けられ、伝導ノイズ及び電子波ノイズをフィルタリングするノイズフィルタ（１１０）をさらに備え、前記整流回路部（１２０）は前記ノイズフィルタ（１１０）の出力電圧を直流に変換するように構成されていることを特徴とする。
【００１６】
第７の発明は、第２の発明において、前記ＬＥＤモジュール部（１９０）は、ＬＥＤが装着されるＬＥＤコネクタ（ＣＮ１）と並列に第６キャパシタ（Ｃ６）が接続され、前記ＬＥＤコネクタ（ＣＮ１）の両端に第２コイル（Ｌｆ２）の１次側及び２次側の一端が接続され、前記第２コイル（Ｌｆ２）の１次側及び２次側の他端が前記制御手段（３５０）の出力端に接続され、前記第２コイル（Ｌｆ２）の１次側及び２次側の前記他端間には極性を持った第５キャパシタ（Ｃ５）が接続されて構成されることを特徴とする。
【００１７】
第８の発明は、第７の発明において、前記過電圧保護部（３７０）は、前記ＬＥＤモジュール部（１９０）の前記第５キャパシタ（Ｃ５）の両端間に直列に接続された第２ツェナダイオード（ＺＤ２）と第５抵抗（Ｒ５）とフォトカプラ（ＰＣ１）とを有し、前記フォトカプラ（ＰＣ１）の出力は前記駆動部（２００）の電源電圧を生じる第１電位点（ＶＣＣ）とグラウンドとの間に接続されていることを特徴とする。
【００１８】
第９の発明は、第８の発明において、前記過電圧保護部（３７０）は、前記ＬＥＤコネクタ（ＣＮ１）にＬＥＤが接続されていない状態で電源投入されると、前記第５キャパシタ（Ｃ５）及び前記第６キャパシタ（Ｃ６）は充電され続け、第５キャパシタ（Ｃ５）及び第６キャパシタ（Ｃ６）に高い電圧がかかることになり、第５キャパシタ（Ｃ５）及び第６キャパシタ（Ｃ６）の充電電圧が前記第２ツェナダイオード（ＺＤ２）の降伏電圧と前記フォトカプラ（ＰＣ１）の動作電圧との和を超えると、前記第５抵抗（Ｒ５）を通して電流が流れ前記フォトカプラ（ＰＣ１）が動作することとなり、前記駆動部（２００）の前記第１電位点（ＶＣＣ）を前記グラウンドに接続して前記駆動部（２００）のスイッチング動作を停止させるように構成されていることを特徴とする。
【００１９】
第１０の発明は、第７の発明において、前記放電制御部（３８０）は、前記ＬＥＤモジュール部（１９０）の前記第５キャパシタ（Ｃ５）の両端間に直列に接続された第３トランジスタ（Ｑ３）及び第６抵抗（Ｒ６）と、前記第５キャパシタ（Ｃ５）の両端間に直列に接続された第４トランジスタ（Ｑ４）及び第７抵抗（Ｒ７）とを有し、前記第３トランジスタ（Ｑ３）のコレクタと前記第５キャパシタ（Ｃ５）のプラス電極との間に前記第６抵抗（Ｒ６）が接続され、前記第３トランジスタ（Ｑ３）のエミッタは前記第５キャパシタ（Ｃ５）のマイナス電極に接続され、前記第３トランジスタ（Ｑ３）のベースは前記第４トランジスタ（Ｑ４）のコレクタに接続され、前記第４トランジスタ（Ｑ４）のコレクタと前記第５キャパシタ（Ｃ５）のプラス電極との間に前記第７抵抗（Ｒ７）が接続され、前記第４トランジスタ（Ｑ４）のエミッタは前記第５キャパシタ（Ｃ５）のマイナス電極に接続され、前記第４トランジスタ（Ｑ４）のベースと前記第５キャパシタ（Ｃ５）のプラス電極の間に第８抵抗（Ｒ８）と第３ツェナダイオード（ＺＤ３）とが直列に接続されて構成されることを特徴とする。
【００２０】
第１１の発明は、第１０の発明において、前記第３ツェナダイオード（ＺＤ３）は前記ＬＥＤコネクタ（ＣＮ１）に接続されたＬＥＤの順電圧より低い降伏電圧を持つツェナダイオードであって、前記放電制御部（３８０）は、電源投入により前記ＬＥＤコネクタ（ＣＮ１）に接続されたＬＥＤが点灯すると、前記第５キャパシタ（Ｃ５）及び前記第６キャパシタ（Ｃ６）にＬＥＤの順電圧分の充電電圧が印加され、前記第３ツェナダイオード（ＺＤ３）に降伏電圧を超える電圧がかかり、前記第４トランジスタ（Ｑ４）がオンし、前記第３トランジスタ（Ｑ３）がオフするように構成されていることを特徴とする。
【００２１】
第１２の発明は、第１１の発明において、前記放電制御部（３８０）は、電源が遮断されると、前記第５キャパシタ（Ｃ５）及び前記第６キャパシタ（Ｃ６）の電圧がＬＥＤによって放電され、前記第５キャパシタ（Ｃ５）及び前記第６キャパシタ（Ｃ６）の電圧が前記第３ツェナダイオード（ＺＤ３）の降伏電圧と前記第４トランジスタ（Ｑ４）のベース−エミッタ間電圧（ＶＢＥ）との和より低くなると、前記第４トランジスタ（Ｑ４）がオフし、前記第３トランジスタ（Ｑ３）がオンし、前記第６抵抗（Ｒ６）を通して前記第５キャパシタ（Ｃ５）及び前記第６キャパシタ（Ｃ６）を放電するように構成されていることを特徴とする。
【００２２】
第１３の発明は、第７の発明において、前記放電制御部（３８０）は、前記ＬＥＤモジュール部（１９０）の前記第５キャパシタ（Ｃ５）の両端間に直列に接続された第９抵抗（Ｒ９，Ｒ１０）と第５トランジスタ（Ｑ５）と第５ツェナダイオード（ＺＤ５）と、前記第５キャパシタ（Ｃ５）の両端間に直列に接続された第６トランジスタ（Ｑ６）及び第１１抵抗（Ｒ１１）とを有し、前記第５トランジスタ（Ｑ５）のコレクタと前記第５キャパシタ（Ｃ５）のプラス電極との間に前記第９抵抗（Ｒ９，Ｒ１０）が接続され、前記第５トランジスタ（Ｑ５）のエミッタと前記第５キャパシタ（Ｃ５）のマイナス電極との間に前記第５ツェナダイオード（ＺＤ５）が接続され、前記第５トランジスタ（Ｑ５）のべースが前記第６トランジスタ（Ｑ６）のコレクタに接続され、前記第６トランジスタ（Ｑ６）のコレクタと前記第５キャパシタ（Ｃ５）のプラス電極との間に前記第１１抵抗（Ｒ１１）が接続され、前記第６トランジスタ（Ｑ６）のエミッタは前記第５キャパシタ（Ｃ５）のマイナス電極に接続され、前記第６トランジスタ（Ｑ６）のベースと前記第５キャパシタ（Ｃ５）のプラス電極との間には第１２抵抗（Ｒ１２）と第４ツェナダイオード（ＺＤ４）とが直列に接続されて構成されることを特徴とする。
【００２３】
第１４の発明は、第１３の発明において、前記第４ツェナダイオード（ＺＤ４）は前記ＬＥＤコネクタ（ＣＮ１）に接続されたＬＥＤの順電圧より低い降伏電圧を持つツェナダイオードであって、前記放電制御部（３８０）は、電源投入により前記ＬＥＤコネクタ（ＣＮ１）に接続されたＬＥＤが点灯すると、前記第５キャパシタ（Ｃ５）及び前記第６キャパシタ（Ｃ６）にＬＥＤの順電圧分の充電電圧が印加され、前記第４ツェナダイオード（ＺＤ４）に降伏電圧を超える電圧がかかり、前記第６トランジスタ（Ｑ６）がオンし、前記第５トランジスタ（Ｑ５）がオフするように構成されていることを特徴とする。
【００２４】
第１５の発明は、第１４の発明において、前記放電制御部（３８０）は、電源が遮断されると、前記第５キャパシタ（Ｃ５）及び前記第６キャパシタ（Ｃ６）の電圧がＬＥＤによって放電され、前記第５キャパシタ（Ｃ５）及び前記第６キャパシタ（Ｃ６）の電圧が前記第４ツェナダイオード（ＺＤ４）の降伏電圧と前記第６トランジスタ（Ｑ６）のベース−エミッタ間電圧（ＶＢＥ）との和より低くなると、前記第６トランジスタ（Ｑ６）がオフし、前記第５トランジスタ（Ｑ５）がオンし、前記第９抵抗（Ｒ９，Ｒ１０）を通して前記第５キャパシタ（Ｃ５）及び前記第６キャパシタ（Ｃ６）を放電し、前記第５キャパシタ（Ｃ５）及び前記第６キャパシタ（Ｃ６）の電圧が前記第５ツェナダイオード（ＺＤ５）の降伏電圧と前記第５トランジスタ（Ｑ５）のエミッタ−ベース間電圧（ＶＢＥ）との和である放電遮断電圧に達すると放電を停止するように構成されていることを特徴とする。
【発明の効果】
【００２５】
本発明は、ＬＥＤモジュール部の出力平滑コンデンサに過電圧がかかることを防止し、且つ電源オフ時と電源オン時との少なくとも一方におけるＬＥＤモジュール部のＬＥＤの応答を速くする制御手段を備えるので、電源オン時と電源オフ時との少なくとも一方におけるＬＥＤの応答を速くでき、また、定電流制御方式において無負荷時に過電圧から保護して破損を防止できる、という利点がある。
【００２６】
さらに、第２の発明によれば、整流回路部からの入力電圧によって平滑コンデンサの容量値を制御する平滑回路部をさらに備えるので、入力電圧により平滑コンデンサの容量値を制御して高力率を具現可能になる、という利点がある。
【図面の簡単な説明】
【００２７】
【図１】実施形態に係るＬＥＤ照明用スイッチング電源の概略ブロック図である。
【図２】上記ＬＥＤ照明用スイッチング電源の要部の具体例を示す回路図である。
【図３】上記ＬＥＤ照明用スイッチング電源の要部の具体例を示す回路図である。
【図４】上記ＬＥＤ照明用スイッチング電源の要部の具体例を示す回路図である。
【図５】上記ＬＥＤ照明用スイッチング電源の要部の具体例を示す回路図である。
【図６】上記ＬＥＤ照明用スイッチング電源の要部の具体例を示す回路図である。
【図７】上記ＬＥＤ照明用スイッチング電源の要部の具体例を示す回路図である。
【図８】上記ＬＥＤ照明用スイッチング電源の要部の具体例を示す回路図である。
【図９】上記ＬＥＤ照明用スイッチング電源の要部の具体例を示す回路図である。
【発明を実施するための形態】
【００２８】
以下、本実施形態に係るＬＥＤ照明用スイッチング電源（ＳＭＰＳ）について図面を参照して詳細に説明する。
【００２９】
図１は本実施形態のＬＥＤ照明用スイッチング電源（以下、「ＳＭＰＳ」という）の構成を概略的に説明したブロック図である。ＳＭＰＳは、図１に示すように、ノイズフィルタ１１０と、整流回路部１２０と、平滑回路部１３０と、電力供給部１４０とを備えている。さらに、このＳＭＰＳは、駆動部２００と、定電流制御部３１０と、制御手段３５０とを備えている。
【００３０】
ノイズフィルタ（EMI noise filter）１１０は電源１００が入力される部分に配置され、伝導ノイズ及び放射ノイズなどの電子波ノイズをフィルタリングする。電源１００は、商用電源のような交流電源（ＡＣ１００／２００Ｖ）である。
【００３１】
整流回路部（rectifier）１２０はノイズフィルタ１１０から出力された交流を直流に交換する。
【００３２】
平滑回路部１３０は整流回路部１２０から出力される電圧を入力電圧として、この入力電圧を感知して入力電圧によって平滑コンデンサの容量値を制御する。
【００３３】
電力供給部１４０は駆動部２００により制御され、平滑回路部１３０から出力された電圧をスイッチングしてＬＥＤモジュール部１９０に供給する。電力供給部１４０は平滑回路部１３０から出力された電圧を受信して、ＰＷＭ（Pulse Width Modulation）制御の原理を利用してスイッチングを制御する。つまり、電力供給部１４０は、ＬＥＤモジュール部１９０の負荷が大きく電圧が低下すると、パルス幅を広げる方向に制御することによって負荷に関係なく一定電圧を維持する。電力供給部１４０は力率検出部とバックコンバータ（buck converter）とで構成された一体型回路である。
【００３４】
バックコンバータは入力電圧より小さい出力電圧を出力する降圧変換回路で、周期的にトランジスタをオン／オフさせ、パルス型の電圧をＬ、Ｃを通して平滑し直流電圧を出力する。バックコンバータの出力電圧は入力電圧より常に小さい。
【００３５】
ＬＥＤモジュール部１９０は高輝度ＬＥＤからなる光源を接続するためのＬＥＤコネクタＣＮ１（図４参照）を具備する。
【００３６】
駆動部２００は、電力供給部１４０を駆動させるためのものであって、スイッチング素子によって直流を断続し、その断続周期を、もしくは周期内のオン／オフの時間、比率を変えることにより負荷に供給する平均電流を調整する直流電源装置である。駆動部２００は、力率検出部とバックコンバータとで構成された一体型（single stage）回路を動作させるＰＷＭ駆動ＩＣである。駆動部２００としては市販のＰＷＭドライブＩＣを利用できる。
【００３７】
定電流制御部３１０は、ＬＥＤモジュール部１９０に流れる電流を定電流に制御する回路である。
【００３８】
制御手段３５０は、ＬＥＤモジュール部１９０の再点灯時、ＬＥＤを早く点灯させるための回路である。制御手段３５０は過電圧保護部３７０と放電制御部３８０とを含む。
【００３９】
過電圧保護部３７０は、無負荷時あるいは軽負荷時の過電圧から保護する回路である。定電流方式のＳＭＰＳは、ＬＥＤモジュール部１９０にＬＥＤが接続されていない無負荷時に、出力平滑コンデンサの電圧が上昇することがある。過電圧保護部３７０は、このような電圧上昇が続いた場合に、コンデンサ自体の内圧より出力平滑コンデンサにかかる電圧が大きくなって過電圧がかかり破損することを防止する回路である。
【００４０】
放電制御部３８０は、第１放電回路部３８３（図５参照）及び第２放電回路部３８７（図６参照）のいずれかから構成される。第１放電回路部３８３及び第２放電回路部３８７は、電源オフ時、コンデンサに蓄積（セーブ）されたエネルギーがＬＥＤモジュール部１９０を通して自然放電されることを防止する回路である。これにより、第１放電回路部３８３及び第２放電回路部３８７は、ＬＥＤがほのかに点灯して暗くなる残像現象をなくして、且つ第２放電回路部３８７は再点灯の際に早く点灯できるように制御する。
【００４１】
図２は図１のノイズフィルタ１１０及び整流回路部１２０の一例を示している。
【００４２】
ノイズフィルタ１１０は、ヒューズＦ１を介して電源１００に直列に接続されたインダクタＬ１およびインダクタＬ２と、インダクタＬ１−インダクタＬ２間に、バリスタＶＡ１、抵抗Ｒ１、キャパシタＣ１が並列に繋がったＲＣフィルタ部とを有する。キャパシタＣ１の両端にはコイルＬｆ１の１次側及び２次側の各一端が接続され、コイルＬｆ１の１次側及び２次側の各他端は整流回路部（rectifier）１２０のブリッジの入力両端に接続されている。ノイズフィルタ１１０はコモンモード（common  mode）及びディファレンシャルモード（differential  mode）のノイズを減殺できるようになる。インダクタＬ１とインダクタＬ２とは電流を補償するためのものでディファレンシャルモード電流とメイン電流をお互いに相殺させるように磁束を発生させ、反面コモンモード電流は倍になる。キャパシタＣ１はディファレンシャルモードノイズ（interference）を減殺させ、コイルＬｆ１はコモンモードノイズを減殺させる。
【００４３】
整流回路部１２０はダイオードのブリッジ回路（ダイオードブリッジ）ＢＤ１を利用して整流する。
【００４４】
図３は図１の整流回路１２０及び平滑回路部１３０の一例を示している。
【００４５】
整流回路部１２０のブリッジ回路ＢＤ１の出力端の一端はプラス電源となってプラス電源線に繋がり、他端はグラウンドに繋がる。
【００４６】
ブリッジ回路ＢＤ１の両出力端間には電界効果トランジスタ（ＦＥＴ：Field Effect Transistor）Ｑ１が接続され、ＦＥＴ Ｑ１のドレインとブリッジ回路ＢＤ１のプラス電源との間にはキャパシタＣ２が接続される。ＦＥＴ Ｑ１のゲートは抵抗Ｒ２を介して、別の電源であるＰＷＭドライブＩＣの電源電圧を生じる第１電位点ＶＣＣに接続される。またＦＥＴ Ｑ１のゲート−ソース間にはトランジスタＱ２が接続される。ＦＥＴ Ｑ１のドレイン−ソース間にはキャパシタＣ３が接続される。トランジスタＱ２のコレクタはＦＥＴ Ｑ１のゲートに接続され、トランジスタＱ２のエミッタはグラウンドに接続される。ブリッジ回路ＢＤ１の両出力端間にはダイオードＤ１とキャパシタＣ４とが直列に接続され、トランジスタＱ２のベースは抵抗Ｒ４、抵抗Ｒ３、ツェナダイオードＺＤ１の直列回路を介してダイオードＤ１及びキャパシタＣ４の接続点に接続される。キャパシタＣ２及びキャパシタＣ３は平滑コンデンサを構成する。
【００４７】
本実施形態のＳＭＰＳは、電源１００から電圧（ＡＣ電圧）が印加されると、平滑回路部１３０においてダイオードＤ１を通してキャパシタＣ４が充電されることになる。キャパシタＣ４には、整流回路部１２０のブリッジ回路ＢＤ１から入力電圧が印加される。
【００４８】
キャパシタＣ４の電圧が、ツェナダイオードＺＤ１の降伏電圧とトランジスタＱ２のベース−エミッタ間電圧ＶＢＥとの和を超えると、トランジスタＱ２がオンしてＦＥＴ Ｑ１がオフするため、キャパシタＣ２はオープンループになって動作しなくなる。
【００４９】
逆に、キャパシタＣ４の電圧が、ツェナダイオードＺＤ１の降伏電圧とトランジスタＱ２のベース−エミッタ間電圧ＶＢＥとの和より小さくなると、トランジスタＱ２がオフしてＦＥＴ Ｑ１がオンする。そのため、整流回路部１２０の両出力端間にはキャパシタＣ２とキャパシタＣ３とが並列に接続され、平滑回路部１３０は平滑コンデンサの容量値がキャパシタＣ２とキャパシタＣ３とを合わせた容量値に増大される。
【００５０】
すなわち、ＳＭＰＳは、ブリッジ回路ＢＤ１の出力に設けられている平滑回路部１３０の平滑コンデンサの容量値を入力電圧により調節して、平滑コンデンサによって発生される位相後退による力率減殺量を調節する。これにより、ＳＭＰＳは、平滑回路部１３０にて高力率に動作を改善することになる。
【００５１】
ここで、抵抗Ｒ２、Ｒ３、Ｒ４としてはたとえば１ｋΩ〜１ＭΩの抵抗を使用でき、ツェナダイオードＺＤ１としてはたとえばＤＣ１００Ｖ〜ＤＣ３００Ｖのツェナダイオードを使用できる。
【００５２】
平滑回路部１３０は、入力電圧によって平滑コンデンサの容量値を制御し、コンデンサによる力率減殺量を調節し、結果的に高力率のＳＭＰＳを具現させる。
【００５３】
従来のＳＭＰＳは入力電圧によって平滑コンデンサの容量値を制御しないので高電圧入力時の力率がよくなかったが、本実施形態に係るＳＭＰＳでは、入力電圧によって平滑コンデンサの容量値を制御しているので高電圧入力時の力率が改善される。
【００５４】
図４は図１のＬＥＤモジュール部１９０及び過電圧保護部３７０の一例を示している。
【００５５】
ＬＥＤモジュール部１９０は、ＬＥＤコネクタＣＮ１と並列にキャパシタＣ６が接続され、ＬＥＤコネクタＣＮ１の両端に第２のコイルＬｆ２の１次側及び２次側の一端が接続され、コイルＬｆ２の１次側及び２次側の他端は過電圧保護部３７０に接続される。コイルＬｆ２の１次側及び２次側の上記他端間には極性を持ったキャパシタＣ５が接続されている。以下、キャパシタＣ５のプラス電極に繋がる線をプラス電源線（ブリッジ回路ＢＤ１のプラス電源）として、キャパシタＣ５のマイナス電極に繋がる線をマイナス電源線とする。
【００５６】
制御手段３５０の過電圧保護部３７０は、ＬＥＤモジュール１９０の前端（キャパシタＣ５の両端）に接続されている。過電圧保護部３７０は、プラス電源線−マイナス電源線間に直列に接続されたツェナダイオードＺＤ２と抵抗Ｒ５とフォトカプラＰＣ１とを有している。フォトカプラＰＣ１の出力（二次側）は、駆動部２００としてのＰＷＭドライブＩＣの第１電位点ＶＣＣ−グラウンド間に接続されている。キャパシタＣ５及びキャパシタＣ６は、出力平滑コンデンサを構成する。
【００５７】
定電流制御方式のＳＭＰＳは、フリッカー現象を除去するために出力平滑コンデンサがあると、電源オン後に無負荷状態になった場合、定電圧制御機能がないために出力平滑コンデンサが過充電状態になり、出力平滑コンデンサに大きな電圧がかかることになる。過電圧保護部３７０は、この時の出力平滑コンデンサ（Ｃ５，Ｃ６）の充電電圧が、ツェナダイオードＺＤ２の降伏電圧とフォトカプラＰＣ１の動作電圧（一次側の順電圧ＶＦ）との和を超えると、抵抗Ｒ５を通して電流が流れるようになりフォトカプラＰＣ１が動作する。これにより、過電圧保護部３７０は、駆動部２００であるＰＷＭドライブＩＣの第１電位点ＶＣＣをグラウンドに落とすことでスイッチング動作を止め、出力平滑コンデンサを充電する電圧を制御することで過電圧を防止する。ここで、抵抗Ｒ５としてはたとえば３Ω〜９１０ｋΩの抵抗が使用可能であり、ツェナダイオードＺＤ２としてはたとえばＤＣ２０Ｖ〜ＤＣ２００Ｖのツェナダイオードが使用可能である。
【００５８】
このように、過電圧保護部３７０は、フリッカー現象をなくすために付加されている出力平滑コンデンサの電圧上昇による破損を防ぐ。特に、過電圧保護部３７０は、定電圧制御機能がない定電流制御方式のＳＭＰＳにおいて、出力平滑コンデンサの無負荷時の過充電による破損を防ぐために、出力平滑コンデンサの充電を制御する。
【００５９】
図５は図１の放電制御部３８０の第１放電回路部３８３、及びＬＥＤモジュール部１９０の一例を示している。
【００６０】
放電制御部３８０の第１放電回路部３８３は、ＬＥＤモジュール部１９０の前端（キャパシタＣ５の両端）に接続されている。第１放電回路部３８３は、プラス電源線−マイナス電源線間に直列に接続されたトランジスタＱ３と抵抗Ｒ６とを有している。さらに第１放電回路部３８３は、プラス電源線−マイナス電源線間に直列に接続されたトランジスタＱ４と抵抗Ｒ７とを有している。抵抗Ｒ６はトランジスタＱ３のコレクタとプラス電源線との間に接続され、トランジスタＱ３のエミッタはマイナス電源線に接続され、トランジスタＱ３のベースはトランジスタＱ４のコレクタに接続されている。抵抗Ｒ７はトランジスタＱ４のコレクタとプラス電源線の間に接続され、トランジスタＱ４のエミッタはマイナス電源線に接続され、トランジスタＱ４のベースとプラス電源線の間には抵抗Ｒ８とツェナダイオードＺＤ３とが直列に接続されている。
【００６１】
ＳＭＰＳは、電源１００をオンにして（電源投入されて）ＬＥＤを点灯させると、キャパシタＣ５及びキャパシタＣ６にはＬＥＤ順電圧ＶＦ分の充電電圧が印加される。ここで、第１放電回路部３８３は、ツェナダイオードＺＤ３としてＬＥＤの順電圧ＶＦより降伏電圧が低いものを適用する。そのため、第１放電回路部３８３は、ツェナダイオードＺＤ３に降伏電圧を超える電圧がかかることになり、トランジスタＱ４がオン（ターンオン）し、トランジスタＱ３がオフ（ターンオフ）する。
【００６２】
一方、ＳＭＰＳは、電源１００をオフにすると（電源が遮断されると）、キャパシタＣ５及びキャパシタＣ６に１次的に充電された電圧が初期にはＬＥＤによって放電される。キャパシタＣ５及びキャパシタＣ６の電圧がツェナダイオードＺＤ３の降伏電圧とトランジスターＱ４のベース−エミッタ間電圧ＶＢＥとの和より低くなると、トランジスタＱ４がオフ（ターンオフ）し、トランジスタＱ３はオン（ターンオン）する。そのため、第１放電回路部３８３は、抵抗Ｒ６を通してキャパシタＣ５及びキャパシタＣ６を強制的に放電し、ＬＥＤの両端にかかる電圧が早く低くなりＬＥＤ照明の残像現象を早く除去することになる。ここで抵抗Ｒ６，Ｒ７，Ｒ８としてはたとえば１０Ω〜１ＭΩの抵抗が使用可能であり、ツェナダイオードＺＤ３としてはたとえばＤＣ２０Ｖ〜ＤＣ２００Ｖのツェナダイオードが使用可能である。
【００６３】
要するに、ＳＭＰＳは強制放電回路がない場合には、ＬＥＤ照明を消灯する際にコンデンサに蓄積されている電荷により、電源オフ後も長い時間にかけてほのかに点灯し続ける残像現象を生じ得る。第１放電回路部３８３は、この放電を制御し、電源オフ後には早くＬＥＤ照明を消灯させて残像現象の発生を防ぐ。つまり、第１放電回路部３８３は強制的に放電制御をせずに消灯時に残像が残った場合、残っている残像を強制的に除去する。
【００６４】
図６は図１の放電制御部３８０の第２放電回路部３８７、及びＬＥＤモジュール部１９０の一例を示している。
【００６５】
放電制御部３８０の第２放電回路部３８７は、ＬＥＤモジュール部１９０の前端（キャパシタＣ５の両端）に接続されている。第２放電回路部３８７は、プラス電源線−マイナス電源線間に直列に接続された抵抗Ｒ９とトランジスタＱ５とツェナダイオードＺＤ５とを有している。さらに第２放電回路部３８７は、プラス電源線−マイナス電源線間に直列に接続された抵抗Ｒ１１とトランジスタＱ６とを有している。抵抗Ｒ９はトランジスタＱ５のコレクタとプラス電源線との間に、抵抗Ｒ１０と並列に接続されている。トランジスタＱ５のエミッタとマイナス電源線との間にはツェナダイオードＺＤ５が接続され、トランジスタＱ５のベースはトランジスタＱ６のコレクタに接続されている。抵抗Ｒ１１はトランジスタＱ６のコレクタとプラス電源線の間に接続され、トランジスタＱ６のエミッタはマイナス電源線に接続され、トランジスタＱ６のベースとプラス電源線との間には抵抗Ｒ１２とツェナダイオ−ドＺＤ４とが直列に接続されている。
【００６６】
ＳＭＰＳは、電源１００をオンにして（電源投入されて）ＬＥＤを点灯させると、キャパシタＣ５及びキャパシタＣ６にはＬＥＤの順電圧ＶＦ分の充電電圧が印加されることになる。ここで、第２放電回路部３８７は、ツェナダイオードＺＤ４としてＬＥＤの順電圧ＶＦより降伏電圧が低いものを適用する。そのため、第２放電回路部３８７は、ツェナダイオードＺＤ４に降伏電圧を超える電圧がかかることになり、トランジスタＱ６がオン（ターンオン）し、トランジスタＱ５がオフ（ターンオフ）する。
【００６７】
一方、ＳＭＰＳは、電源１００をオフにすると（電源が遮断されると）、キャパシタＣ５及びキャパシタＣ６の充電電圧が初期にはＬＥＤにより放電される。キャパシタＣ５及びキャパシタＣ６の電圧がツェナダイオードＺＤ４の降伏電圧とトランジスタＱ６のベース−エミッタ間電圧ＶＢＥとの和より低くなると、トランジスタＱ６がオフ（ターンオフ）し、トランジスタＱ５はオン（ターンオン）する。そのため、第２放電回路部３８７は、抵抗Ｒ９，Ｒ１０を通してキャパシタＣ５及びキャパシタＣ６を強制的に放電する。第２放電回路部３８７による放電は、キャパシタＣ５及びキャパシタＣ６の電圧がツェナダイオードＺＤ５の降伏電圧とトランジスタＱ５のベース−エミッタ間電圧ＶＢＥとの和（放電遮断電圧）に達するまで行われる。これにより、ＬＥＤの両端にかかる電圧が早く低くなりＬＥＤ照明の残像現象を早く除去することになる。また、キャパシタＣ５及びキャパシタＣ６には放電遮断電圧分の充電電圧で残るので、ＳＭＰＳは、電源をオンした際にはキャパシタＣ５及びキャパシタＣ６の充電時間が短縮され、ＬＥＤを早く点灯させることができる。
【００６８】
抵抗Ｒ９，Ｒ１０，Ｒ１１，Ｒ１２としてはたとえば１０Ω〜１ＭΩの抵抗が使用可能であり、ツェナダイオードＺＤ４，ＺＤ５としてはたとえばＤＣ２０Ｖ〜ＤＣ２００Ｖのツェナダイオードが使用可能である。
【００６９】
要するに、ＳＭＰＳは強制放電回路がない場合には、ＬＥＤ照明を消灯する際にコンデンサに蓄積されている電荷によって電源オフ後も長い時間にわたってほのかに点灯し続ける残像現象を生じ得る。第２放電回路部３８７は、この放電を制御し、電源オフ後には早くＬＥＤ照明を消灯させて残像現象の発生を防ぐ。また、第２放電回路部３８７は、強制放電後もコンデンサの電圧を放電遮断電圧相当の電圧に保つので、電源オン後にはＬＥＤ照明を早く点灯できる。つまり、第２放電回路部３８７は強制的に放電制御をせずに消灯時に残像が残った場合、残っている残像を強制的に除去し、且つ早い点灯を誘導する。
【００７０】
図７は図１の駆動部２００の一例を示している。
【００７１】
駆動部２００のＰＷＭドライブＩＣとしては、たとえばＮＥＣ製のＨＶ９９３１を使用できる。
【００７２】
図７のＰＷＭ駆動ＩＣのＯＵＴ端子は電力供給部１４０に接続される。
【００７３】
図８は図１の電力供給部１４０及び第１放電回路部３８３の一例を示している。
【００７４】
電力供給部１４０は、駆動部２００によりスイッチング制御されるスイッチング素子としてのＦＥＴ Ｑ７を有している。電力供給部１４０は、マイナス電源線とＦＥＴ Ｑ７のドレインとの間に接続されたインダクタＬ３と、プラス電源線とＦＥＴ Ｑ７のドレインとの間に接続されたダイオードＤ２とを有している。また、ＦＥＴ Ｑ７のソースは抵抗Ｒ１４を通してグラウンドに接続され、ＦＥＴ Ｑ７のゲートは抵抗Ｒ１３を通して駆動部２００のＰＷＭドライブＩＣのＯＵＴ端子に接続されている。抵抗Ｒ１３にはダイオードＤ３が並列に接続されている。ＦＥＴ Ｑ７のドレイン−ソース間にはキャパシタＣ７が接続される。
【００７５】
図９は図１の定電流制御部３１０の一例を示している。
【００７６】
図９の定電流制御部３１０は、図８でＦＥＴ Ｑ７のソースとグラウンドとの間に設けられていた抵抗Ｒ１４の代わりに設けられる。
【００７７】
定電流制御部３１０は、ＦＥＴ Ｑ７のソースとグラウンドとの間に並列に接続された抵抗Ｒ１５、抵抗Ｒ１６、抵抗Ｒ１７を有し、さらに抵抗Ｒ１７と並列に接続された抵抗Ｒ１８、可変抵抗ＶＲ１、抵抗Ｒ１９の直列回路を有している。抵抗Ｒ１８と可変抵抗ＶＲ１との接続点は、駆動部２００のＰＷＭドライブＩＣのＣＳ端子に接続される。また、過電圧保護部３７０のフォトカプラＰＣ１の出力の一端が駆動部２００のＰＷＭドライブＩＣの第１電位点ＶＣＣに接続され、フォトカプラＰＣ１の出力の他端がＦＥＴ Ｑ７のソースに接続されている。
【００７８】
本発明は以上のように限られた実施形態と図面によって説明されているが、本発明は上記実施形態に限られるものではなく、本発明が属するすべての分野で通常の知識を持っている者なら多様な修正及び変形が可能である。従って、本発明は次に記載される特許請求範囲によって把握されるべきであり、異義均等又は等価的変形すべては本発明の思想の範疇に属する。
【符号の説明】
【００７９】
１１０  ノイズフィルタ
１２０  整流回路部
１３０  平滑回路部
１４０  電力供給部
１９０  ＬＥＤモジュール部
２００  駆動部
３１０  定電流制御部
３５０  制御手段
３７０  過電圧保護部
３８０  放電制御部
Ｃ２，Ｃ３  平滑コンデンサ
Ｃ５，Ｃ６  出力平滑コンデンサ
【図１】
2014116279.tif 000003
【図２】
2014116279.tif 000004
【図３】
2014116279.tif 000005
【図４】
2014116279.tif 000006
【図５】
2014116279.tif 000007
【図６】
2014116279.tif 000008
【図７】
2014116279.tif 000009
【図８】
2014116279.tif 000010
【図９】
2014116279.tif 000011